(57)【要約】【課題】  本発明は、機能を持っていても表に出さない。トイレの主役として主張しすぎず、空間やインテリアに調和・同化するシンプルで普遍的な水洗式大便器を提供する。  【解決手段】  本発明では、使用者が排泄を行う便器本体と、前記便器本体に載置され使用者の局部を洗浄する温水洗浄機能付きの便座と、前記温水洗浄機能の機能部を収容したケーシングと、前記便座を覆い隠す便蓋とを備え、前記ケーシングと前記便蓋の後縁形状を共に緩やかな曲線形状としたことを特徴とすることにより、便蓋とケーシングの後縁形状が相まって、使用者に対し優しさや柔らかさを印象づけることにより、水洗式大便器がトイレ空間で主張しすぎることがなく、空間や周囲のインテリアに調和させることができる。【選択図】  図１
2011000216.tif 000002
【特許請求の範囲】
【請求項１】
使用者が排泄を行う便器本体と、
前記便器本体に載置され使用者が着座した状態で局部を洗浄する温水洗浄機能付きの便座と、
前記温水洗浄機能の機能部を収容したケーシングと、
前記便座を覆い隠す便蓋とを備え、
前記ケーシングと前記便蓋の後縁形状を共に緩やかな曲線形状とした
ことを特徴とする水洗式大便器。
【請求項２】
前記ケーシングの背面を立位の使用者の視線から隠れるように傾斜させたことを特徴とする請求項１記載の水洗式大便器。
【発明の詳細な説明】
【技術分野】
【０００１】
本発明は、「主張しすぎず、空間に調和すること」をコンセプトとし、これを実現するために、ノイズ（妨げ）となる線や凹凸、配管を極力排するとともに、省スペース性を追求した水洗式大便器である。 
【背景技術】
【０００２】
出願人は、１９９０年代に世界に先駆けて水道の圧力を利用して汚物を洗い流すトイレを発売。それまでの水洗式大便器に必須であった洗浄水を貯留するタンクが無くなったことから、市場では「タンクレストイレ」と呼ばれるようになった。
出願人はこのタンクレストイレという新たな市場を開拓し、常にこの市場をリードしてきた。
【０００３】
その後、市場の拡大や後発メーカの参入を経て、最近のタンクレストイレは機能優先とハイテク感を演出するモノづくりが加速。本来「やすらぎ」や「くつろげる空間」といった要素が求められているトイレ空間において、既存のタンクレストイレは空間の調和を乱す存在となっていた（例えば、特許文献１参照）。
【先行技術文献】
【特許文献】
【０００４】
【特許文献１】特開２００１−９０１６４号公報
【発明の概要】
【発明が解決しようとする課題】
【０００５】
先行文献１の水洗式大便器では、求められる多くの機能が搭載され、ハイテク感を全面に打ち出した商品となっており、高感度なトイレ空間を求めるユーザーからは「トイレが主張しすぎて、邪魔をしている」といった声が聞かれるようになっていた。
本発明は、上記問題を解決するためになされたもので、機能を持っていても表に出さない、トイレの主役として主張しすぎず、空間やインテリアに調和・同化するシンプルで普遍的な水洗式大便器を提供することを目的とする。
【課題を解決するための手段】
【０００６】
上記目的を達成するために請求項１記載の発明は、使用者が排泄を行う便器本体と、前記便器本体に載置され使用者が着座した状態で局部を洗浄する温水洗浄機能付きの便座と、前記温水洗浄機能の機能部を収容したケーシングと、前記便座を覆い隠す便蓋とを備え、前記ケーシングと前記便蓋の後縁形状を共に緩やかな曲線形状としたことを特徴としている。
【０００７】
このように構成された本発明によれば、便蓋とケーシングの後縁形状が相まって、使用者に対し優しさや柔らかさを印象づけることにより、水洗式大便器がトイレ空間で主張しすぎることがなく、空間や周囲のインテリアに調和させることができる。
【０００８】
また、請求項２記載の発明は、前記ケーシングの背面を立位の使用者の視線から隠れるように傾斜させたことを特徴としている。
【０００９】
このように構成された本発明によれば、使用者は水洗式大便器の奥行き寸法を、実際の奥行き寸法よりも短く感じることができ、トイレ空間の圧迫感が解消される。
【発明の効果】
【００１０】
本発明によれば、主張しすぎず、空間やインテリアに調和・同化するシンプルで普遍的な水洗式大便器（タンクレストイレ）を提供することができる。
【図面の簡単な説明】
【００１１】
【図１】本発明を実施した第一実施形態の水洗式大便器全体を示す斜視図である。
【図２】本発明を実施した第一実施形態の水洗式大便器全体を示す斜視図である。
【図３】本発明を実施した第一実施形態の水洗式大便器の正面図である。
【図４】本発明を実施した第一実施形態の水洗式大便器の平面図である。
【図５】本発明を実施した第一実施形態の水洗式大便器の右側面図である。
【図６】本発明を実施した第一実施形態の水洗式大便器の左側面図である。
【図７】本発明を実施した第一実施形態の水洗式大便器の背面図である。
【図８】本発明を実施した第一実施形態の水洗式大便器の底面図である。
【図９】本発明を実施した第一実施形態の水洗式大便器から便座と便蓋を外した状態の斜視図である
【図１０】本発明を実施した第一実施形態の水洗式大便器のＡ−Ａ断面図である。
【図１１】本発明を実施した第二実施形態の水洗式大便器全体を示す斜視図である。
【図１２】本発明を実施した第二実施形態の水洗式大便器全体を示す斜視図である。
【図１３】本発明を実施した第二実施形態の水洗式大便器の正面図である。
【図１４】本発明を実施した第二実施形態の水洗式大便器の平面図である。
【図１５】本発明を実施した第二実施形態の水洗式大便器の右側面図である。
【図１６】本発明を実施した第二実施形態の水洗式大便器の左側面図である。
【図１７】本発明を実施した第二実施形態の水洗式大便器の背面図である。
【図１８】本発明を実施した第二実施形態の水洗式大便器の底面図である。
【図１９】本発明を実施した第二実施形態の水洗式大便器から便座と便蓋を外した状態の斜視図である。
【図２０】本発明を実施した第三実施形態の水洗式大便器全体を示す斜視図である。
【図２１】本発明を実施した第三実施形態の水洗式大便器全体を示す斜視図である。
【図２２】本発明を実施した第三実施形態の水洗式大便器の正面図である。
【図２３】本発明を実施した第三実施形態の水洗式大便器の平面図である。
【図２４】本発明を実施した第三実施形態の水洗式大便器の右側面図である。
【図２５】本発明を実施した第三実施形態の水洗式大便器の左側面図である。
【図２６】本発明を実施した第三実施形態の水洗式大便器の背面図である。
【図２７】本発明を実施した第三実施形態の水洗式大便器の底面図である。
【図２８】本発明を実施した第三実施形態の水洗式大便器から便座と便蓋を外した状態の斜視図である。
【図２９】本発明を実施した第四実施形態の水洗式大便器全体を示す斜視図である。
【図３０】本発明を実施した第四実施形態の水洗式大便器全体を示す斜視図である。
【図３１】本発明を実施した第四実施形態の水洗式大便器の正面図である。
【図３２】本発明を実施した第四実施形態の水洗式大便器の平面図である。
【図３３】本発明を実施した第四実施形態の水洗式大便器の右側面図である。
【図３４】本発明を実施した第四実施形態の水洗式大便器の左側面図である。
【図３５】本発明を実施した第四実施形態の水洗式大便器の背面図である。
【図３６】本発明を実施した第四実施形態の水洗式大便器の底面図である。
【図３７】本発明を実施した第四実施形態の水洗式大便器から便座と便蓋を外した状態の斜視図である。
【図３８】本発明を実施した第五実施形態の水洗式大便器全体を示す斜視図である。
【図３９】本発明を実施した第五実施形態の水洗式大便器全体を示す斜視図である。
【図４０】本発明を実施した第五実施形態の水洗式大便器の正面図である。
【図４１】本発明を実施した第五実施形態の水洗式大便器の平面図である。
【図４２】本発明を実施した第五実施形態の水洗式大便器の右側面図である。
【図４３】本発明を実施した第五実施形態の水洗式大便器の左側面図である。
【図４４】本発明を実施した第五実施形態の水洗式大便器の背面図である。
【図４５】本発明を実施した第五実施形態の水洗式大便器の底面図である。
【図４６】本発明を実施した第五実施形態の水洗式大便器から便座と便蓋を外した状態の斜視図である。
【図４７】本発明を実施した第六実施形態の水洗式大便器全体を示す斜視図である。
【図４８】本発明を実施した第六実施形態の水洗式大便器全体を示す斜視図である。
【図４９】本発明を実施した第六実施形態の水洗式大便器の正面図である。
【図５０】本発明を実施した第六実施形態の水洗式大便器の平面図である。
【図５１】本発明を実施した第六実施形態の水洗式大便器の右側面図である。
【図５２】本発明を実施した第六実施形態の水洗式大便器の左側面図である。
【図５３】本発明を実施した第六実施形態の水洗式大便器の背面図である。
【図５４】本発明を実施した第六実施形態の水洗式大便器の底面図である。
【図５５】本発明を実施した第六実施形態の水洗式大便器から便座と便蓋を外した状態の斜視図である。
【図５６】本発明を実施した第七実施形態の水洗式大便器全体を示す斜視図である。
【図５７】本発明を実施した第七実施形態の水洗式大便器全体を示す斜視図である。
【図５８】本発明を実施した第七実施形態の水洗式大便器の正面図である。
【図５９】本発明を実施した第七実施形態の水洗式大便器の平面図である。
【図６０】本発明を実施した第七実施形態の水洗式大便器の右側面図である。
【図６１】本発明を実施した第七実施形態の水洗式大便器の左側面図である。
【図６２】本発明を実施した第七実施形態の水洗式大便器の背面図である。
【図６３】本発明を実施した第七実施形態の水洗式大便器の底面図である。
【図６４】本発明を実施した第七実施形態の水洗式大便器から便座と便蓋を外した状態の斜視図である。
【発明を実施するための最良の形態】
【００１２】
本発明を実施した水洗式大便器の全体を示す斜視図である図１、図２および図９を使用して、本実施例における水洗式大便器の全体構成について以下に述べる。  
【００１３】
符号１は、本発明にかかる第一実施形態の水洗式大便器であり、トイレ空間の床面に取り付けられて利用するものである。
便器本体１の上面には使用者の局部を洗浄する温水洗浄機能を備えた便座５と、この便座５を覆い隠す便蓋３が取り付けられている。
便器本体１の後方には、温水洗浄機能の機能部を収容したケーシング４が備えられ、右側面部にはトイレ空間を暖めるための温風吹出口６が設けられている。
【００１４】
汚物を洗い流すための洗浄水は、不図示の水道管から便器本体１に供給され、水道の水圧を利用して、便器のボウル部７に旋回流を発生するように放出される。この作業に続いて、便器本体の内部に設けられたトラップ流路８に向けて洗浄水を勢いよく供給することにより、トラップ流路内にサイホン現象を引き起こして汚物を排水配管へと誘導する。
【００１５】
便器本体２は、不図示のフレキシブル配管を介して、床面から立ち上がって配置されている排水配管に水密に接続されるとともに、ボルトとナットによって床面に着脱自在に固定されている。
【００１６】
続いて、図３から図８を用いて、本発明の構成について説明する。
【００１７】
空間に調和するタンクレストイレを目指し、本発明においては、「無駄な線」「隙間」「凹凸」を極限まで減らして、「タンクレストイレだけが持つシンプルで流麗なフォルムを追及する」という新しいモノづくりの領域に挑戦した。
はじめに、使用者のもっとも目につきやすいトイレのトップビュー（平面視）の構造設計に着手した。タンクレストイレは、温水洗浄便座を備えることから、自ずとトップビューは前方に便座のカバー（便蓋）が、後方に温水洗浄便座の機能部が配置され、この間にカバーのヒンジと赤外センサーの黒窓や作動状況の表示部（ＬＥＤ）が横たわるといった構成となる。
【００１８】
これらの基本構成を前提に、図４乃至図６に示すように、本発明においてはヒンジ構造を便蓋３で覆い隠すことによりその存在感を消し去るとともに、不図示のリモコンから発信される赤外光信号の受光部を使用者の目に触れにくいケーシング４の背面側４ｂに設けることで、トイレのトップビューからノイズとなる「無駄な線」「隙間」「凹凸」を減らしている。
【００１９】
次に、図４から明らかなように、便蓋３の後縁形状３ａとケーシング４の後縁形状４ａの両形状を緩やかな曲線形状となるように構成している。最も好ましい態様としては、図１１乃至図１９に示す第二実施形態のように便蓋２３の後縁形状２３ａとケーシング２４の後縁形状２４ａの曲線形状を略同一の曲率で形成することが望ましい。また、図２０乃至図２８に示す第三実施形態のように便蓋３３の後縁形状３３ａとケーシング３４の後縁形状３４ａの両形状を緩やかな曲線形状にするとともに、頂部３４ｃに形成された稜線も緩やかな曲線とすることも可能である。更に、図２９乃至図３７に示す第四実施形態のように便蓋４３の後縁形状４３ａの曲率よりもケーシング４４の後縁形状４４ａの曲率を大きく取ることもできる。このように形成することにより２つの曲線形状が響き合い、使用者にやわらかな印象を与えることができる。
【００２０】
便蓋３の後方部分は、ケーシング４の前方部分に重なるように配置している。このような配置構造とすることで、従来のタンクレストイレにありがちな便蓋とケーシングとの境目に生じる大きな溝が生じることを防止することができる。
また、図５または図６に記載のとおり、便蓋３の側面形状のうち後方部分については、ケーシング４の側面形状に同調する形状を採用している。
【００２１】
さらに、図２から分かるように、上述のように構成した便蓋３は奥行き寸法を小さくすることができるので、便蓋３を開けた状態でも垂直方向の空間を圧迫することがない。
【００２２】
また、ケーシング４の背面部４ｂは前方側に傾斜させている。傾斜の角度を比較的立ち気味に設定することで、水洗式大便器１の前方に立った使用者からはケーシング４の背面部４ｂを見えなくすることができる。このように構成することにより、使用者からはケーシング４の頂部４ｃ（最も高い位置にある稜線）が水洗式大便器の最も奥深い部分と錯覚を起こすことになる。その結果、使用者は本発明の水洗式大便器の奥行き寸法を実際の寸法よりも短く感じることになり、トイレ空間の圧迫感を解消できるのである。同様の効果は、図３８乃至図４６に示す第五実施形態のようにケーシング５４の背面部５４ｂを曲面で構成しつつ前方側に傾斜させる態様、図４７乃至図５５に示す第六実施形態のようにケーシング６４の背面部６４ｂを平面形状で構成しつつ前方側に傾斜させる態様、および図５６乃至図６４に示す第七実施形態のようにケーシング７４の背面部７４ｂの傾斜面を第一実施形体よりも広くしつつ前方側に傾斜させる態様でも奏することができる。
【符号の説明】
【００２３】
１、２１、３１、４１、５１、６１、７１…水洗式大便器
２、２２、３２、４２、５２、６２、７２…便器本体
３、２３、３３、４３、５３、６３、７３…便蓋
３ａ、２３ａ、３３ａ、４３ａ、５３ａ、６３ａ、７３ａ…後縁形状
４、２４、３４、４４、５４、６４、７４…ケーシング
４ａ、２４ａ、３４ａ、４４ａ、５４ａ、６４ａ、７４ａ…後縁形状
４ｂ、２４ｂ、３４ｂ、４４ｂ、５４ｂ、６４ｂ、７４ｂ…背面部
４ｃ、２４ｃ、３４ｃ、４４ｃ、５４ｃ、６４ｃ、７４ｃ…頂部
５、２５、３５、４５、５５、６５、７５…便座
６、２６、３６、５６、６６、７６…温風吹出口
７、２７、３７、４７、５７、６７、７７…ボウル部
８…トラップ流路
【図１】
2011000216.tif 000003
【図２】
2011000216.tif 000004
【図３】
2011000216.tif 000005
【図４】
2011000216.tif 000006
【図５】
2011000216.tif 000007
【図６】
2011000216.tif 000008
【図７】
2011000216.tif 000009
【図８】
2011000216.tif 000010
【図９】
2011000216.tif 000011
【図１０】
2011000216.tif 000012
【図１１】
2011000216.tif 000013
【図１２】
2011000216.tif 000014
【図１３】
2011000216.tif 000015
【図１４】
2011000216.tif 000016
【図１５】
2011000216.tif 000017
【図１６】
2011000216.tif 000018
【図１７】
2011000216.tif 000019
【図１８】
2011000216.tif 000020
【図１９】
2011000216.tif 000021
【図２０】
2011000216.tif 000022
【図２１】
2011000216.tif 000023
【図２２】
2011000216.tif 000024
【図２３】
2011000216.tif 000025
【図２４】
2011000216.tif 000026
【図２５】
2011000216.tif 000027
【図２６】
2011000216.tif 000028
【図２７】
2011000216.tif 000029
【図２８】
2011000216.tif 000030
【図２９】
2011000216.tif 000031
【図３０】
2011000216.tif 000032
【図３１】
2011000216.tif 000033
【図３２】
2011000216.tif 000034
【図３３】
2011000216.tif 000035
【図３４】
2011000216.tif 000036
【図３５】
2011000216.tif 000037
【図３６】
2011000216.tif 000038
【図３７】
2011000216.tif 000039
【図３８】
2011000216.tif 000040
【図３９】
2011000216.tif 000041
【図４０】
2011000216.tif 000042
【図４１】
2011000216.tif 000043
【図４２】
2011000216.tif 000044
【図４３】
2011000216.tif 000045
【図４４】
2011000216.tif 000046
【図４５】
2011000216.tif 000047
【図４６】
2011000216.tif 000048
【図４７】
2011000216.tif 000049
【図４８】
2011000216.tif 000050
【図４９】
2011000216.tif 000051
【図５０】
2011000216.tif 000052
【図５１】
2011000216.tif 000053
【図５２】
2011000216.tif 000054
【図５３】
2011000216.tif 000055
【図５４】
2011000216.tif 000056
【図５５】
2011000216.tif 000057
【図５６】
2011000216.tif 000058
【図５７】
2011000216.tif 000059
【図５８】
2011000216.tif 000060
【図５９】
2011000216.tif 000061
【図６０】
2011000216.tif 000062
【図６１】
2011000216.tif 000063
【図６２】
2011000216.tif 000064
【図６３】
2011000216.tif 000065
【図６４】
2011000216.tif 000066